(57)【要約】【課題】鍵やＩＤカード等による認証のための操作をユーザが行う必要がなく、ユーザ認証を容易とすることを可能とする。【解決手段】データ処理装置は、撮像部が撮像した撮像画像を取得する画像取得手段と、取得された撮像画像から予め設定された認証対象物を認識する画像認識手段と、実行可能なデータ処理の範囲が互いに異なる複数の操作モードごとに、所定の認証物を設定した認証データをもとに、認識された認証対象物が認証データに設定された認証物と一致する場合に、認証物に対応した操作モードを設定する操作モード設定手段と、設定された操作モードに対応した範囲内のデータ処理を行うデータ処理手段とを備える。【選択図】図３
2013045361.tif 000002
【特許請求の範囲】
【請求項１】
撮像部が撮像した撮像画像を取得する画像取得手段と、
前記取得された撮像画像から予め設定された認証対象物を認識する画像認識手段と、
実行可能なデータ処理の範囲が互いに異なる複数の操作モードごとに、所定の認証物を設定した認証データをもとに、前記認識された認証対象物が前記認証データに設定された認証物と一致する場合に、当該認証物に対応した操作モードを設定する操作モード設定手段と、
前記設定された操作モードに対応した範囲内のデータ処理を行うデータ処理手段と、
を備えるデータ処理装置。
【請求項２】
前記設定された操作モードを報知する報知手段を更に備える、
請求項１に記載のデータ処理装置。
【請求項３】
前記報知手段は、前記設定された操作モードにおいて実行可能なデータ処理の範囲を報知する、
請求項２に記載のデータ処理装置。
【請求項４】
前記操作モード設定手段は、前記認識された認証対象物が前記認証データに設定された認証物と所定の回数連続して不一致である場合に、動作をロックするロックモードを設定する、
請求項１乃至３のいずれか一項に記載のデータ処理装置。
【請求項５】
前記データ処理手段は、複数のデータ処理の中から前記操作部により受け付けられたデータ処理が前記設定された操作モードに対応した範囲内のデータ処理である場合に、前記受け付けられたデータ処理を行う、
請求項１乃至４のいずれか一項に記載のデータ処理装置。
【請求項６】
コンピュータを、
撮像部が撮像した撮像画像を取得する画像取得手段と、
前記取得された撮像画像から予め設定された認証対象物を認識する画像認識手段と、
実行可能なデータ処理の範囲が互いに異なる複数の操作モードごとに、所定の認証物を設定した認証データをもとに、前記認識された認証対象物が前記認証データに設定された認証物と一致する場合に、当該認証物に対応した操作モードを設定する操作モード設定手段と、
前記設定された操作モードに対応した範囲内のデータ処理を行うデータ処理手段と、
して機能させるためのプログラム。
【発明の詳細な説明】
【技術分野】
【０００１】
本発明の実施形態は、データ処理装置及びプログラムに関する。
【背景技術】
【０００２】
従来、スーパーマーケット等の店舗では、商品に添付された商品コードを読み取って顧客が購入する商品の登録を行うＰＯＳ端末（Point  Of  Sale）等のデータ処理装置が用いられている。このデータ処理装置では、鍵やＩＤ（Identification Data）カード等により認証された店員が、認証により許可される範囲で、上述した商品登録の他、点検、精算等の業務処理を行っている。
【発明の概要】
【発明が解決しようとする課題】
【０００３】
しかしながら、上述した従来技術は、鍵やＩＤカード等による認証のための操作をユーザが行う必要があり、不便であった。
【課題を解決するための手段】
【０００４】
上述した課題を解決するために、実施形態のデータ処理装置は、撮像部が撮像した撮像画像を取得する画像取得手段と、前記取得された撮像画像から予め設定された認証対象物を認識する画像認識手段と、実行可能なデータ処理の範囲が互いに異なる複数の操作モードごとに、所定の認証物を設定した認証データをもとに、前記認識された認証対象物が前記認証データに設定された認証物と一致する場合に、当該認証物に対応した操作モードを設定する操作モード設定手段と、前記設定された操作モードに対応した範囲内のデータ処理を行うデータ処理手段とを備える。
【０００５】
また、実施形態のプログラムは、コンピュータを、撮像部が撮像した撮像画像を取得する画像取得手段と、前記取得された撮像画像から予め設定された認証対象物を認識する画像認識手段と、実行可能なデータ処理の範囲が互いに異なる複数の操作モードごとに、所定の認証物を設定した認証データをもとに、前記認識された認証対象物が前記認証データに設定された認証物と一致する場合に、当該認証物に対応した操作モードを設定する操作モード設定手段と、前記設定された操作モードに対応した範囲内のデータ処理を行うデータ処理手段として機能させる。
【図面の簡単な説明】
【０００６】
【図１】図１は、実施形態にかかるデータ処理装置の一例であるＰＯＳシステムの構成を概略的に示す外観斜視図である。
【図２】図２は、ＰＯＳシステムの構成を示すブロック図である。
【図３】図３は、ＰＯＳシステムの動作の一例を示すフローチャートである。
【図４】図４は、表示画面の一例を示す概念図である。
【図５】図５は、表示画面の一例を示す概念図である。
【図６】図６は、表示画面の一例を示す概念図である。
【発明を実施するための形態】
【０００７】
以下では、ＰＯＳシステムを例に実施形態にかかるデータ処理装置及びプログラムを図面を参照して説明する。ＰＯＳシステムは、一取引にかかる商品の登録、精算を行うＰＯＳ端末と、商品に添付された商品コードなどを読み取る商品コード読取装置とを有する構成であり、店舗システムの一例である。実施形態は、飲食店やスーパーマーケット等の店舗に導入されたＰＯＳシステムへの適用例である。
【０００８】
図１は、実施形態にかかるデータ処理装置の一例であるＰＯＳシステム４の構成を概略的に示す外観斜視図である。図１に示すように、ＰＯＳシステム４は、商品を入れた買い物かごを戴置するためのカウンタ台１と、カウンタ台１の略中央に立設された商品コード読取装置２と、商品コード読取装置２と図示しない伝送路によって相互通信可能に接続されたＰＯＳ端末３とを備えている。
【０００９】
ＰＯＳ端末３は、客が購入する商品の販売登録を行うものである。図１に示すように、ＰＯＳ端末３には、キーボード３１、オペレータ（店員）用の店員用ディスプレイ３２、顧客用の顧客用ディスプレイ３３、レシート印字等を行うプリンタ３４、現金等を収容するためのドロワ３５等が設けられている。キーボード３１には、商品代金の決済に必要な締めキー等が配設されている。ＰＯＳ端末３は、この種のチェックアウトレーンシステムで標準的に使用されているＰＯＳ端末と同様の構成と機能とを備えている。
【００１０】
商品コード読取装置２は、商品に貼付されたバーコードまたは二次元コード等のコードシンボル（以下、バーコード）を、店員が商品を読取窓２１にかざした際に読み取って、バーコードが含む商品情報をＰＯＳ端末３に出力するための装置である。図１に示すように、商品コード読取装置２は、読取窓２１と、キーボード２２と、顧客用ディスプレイ２３ａと、店員用ディスプレイ２３ｂと、カード読取部２４と、ブザー２５と、認証用カメラ２６とを主に備えている。キーボード２２は、各種キーによるオペレータの操作を受け付ける。例えば、キーボード２２は、バーコードで登録不能な商品の登録を行う場合に、各種キーによる入力を受付ける。顧客用ディスプレイ２３ａは、顧客向けに情報を表示するディスプレイであり、例えば登録された商品の品名や価格等を顧客に対して表示する。店員用ディスプレイ２３ｂは、店員向けに情報を表示するディスプレイであり、例えば登録された商品の品名や価格等を店員に対して表示する。カード読取部２４は、磁気カードやＩＣカードなどに記録された情報を読み取る。ブザー２５は、商品に貼付されたバーコードが読み取られた場合などにブザー音を鳴らして、オペレータに報知する。読取窓２１が設けられた商品コード読取装置２の内部にはカメラ２０（図２参照）が内蔵されている。
【００１１】
認証用カメラ２６は、ＰＯＳシステム４における操作部としてのキーボード２２、３１近傍に立つユーザ（オペレータ）を撮像対象とする向きに設置されたデジタルカメラである。具体的には、認証用カメラ２６、商品コード読取装置２の上部などにおいて、キーボード２２、３１の操作を行うためにカウンタ台１の手前側（図１の例）に立つユーザを撮像するように、撮像方向を向けて設置される。したがって、ＰＯＳシステム４の操作を行うユーザは、認証用カメラ２６により撮像されることとなる。なお、認証用カメラ２６の設置位置については、例えばＰＯＳ端末３の上部など、商品コード読取装置２の上部以外であってもよい。また、ＰＯＳシステム４は、カメラ２０を認証用カメラ２６と兼用してもよい。
【００１２】
図２は、ＰＯＳシステム４の構成を示すブロック図である。ＰＯＳシステム４は、ＣＰＵ５０（Central  Processing  Unit）と、ＲＯＭ４２（Read  Only  Memory）と、ＲＡＭ４３（Random  Access  Memory）と、通信Ｉ／Ｆ４４と、入出力ポート４６と、キーボードコントローラ４７と、表示コントローラ４８と、カメラコントローラ４９と、メモリ４５とを主に備えており、これらをアドレスバス、データバスなどのバスライン４１で接続して構成されている。
【００１３】
ＣＰＵ５０は、ＰＯＳシステム４の動作全体を制御する制御部として機能する。ＲＯＭ４２は、本実施形態にかかるプログラムや、ＣＰＵ５０の動作を制御するその他のプログラム等を記憶している。ＲＡＭ４３は、ＣＰＵ５０がＲＯＭ４２が記憶する各種プログラムを展開する際にワークエリアとして機能する。また、ＲＡＭ４３は、カメラ２０や認証用カメラ２６によって撮像した画像データなどの各種データを格納する。
【００１４】
通信Ｉ／Ｆ４４は、店舗のデータを統括して管理するストアコンピュータ（図示しない）などの情報機器との間のデータ通信を制御する。入出力ポート４６は、カード読取部２４、ブザー２５、プリンタ３４と接続する通信ポートであり、カード読取部２４が読み取ったデータの入力や、ブザー２５、プリンタ３４への駆動信号の出力などを行う。キーボードコントローラ４７は、キーボード２２、３１からキー信号を取り込む。表示コントローラ４８は、顧客用ディスプレイ２３ａ、３３、店員用ディスプレイ２３ｂ、３２に対するデータ表示を制御する。カメラコントローラ４９は、カメラ２０、認証用カメラ２６の撮像動作を制御する。カメラ２０は、ＣＣＤ（Charge Coupled Device）イメージセンサ、ＣＭＯＳ（Complementary Metal Oxide Semiconductor）イメージセンサ等のデジタルカメラである。カメラ２０は、商品に付されたバーコード等を撮像する。
【００１５】
メモリ４５は、書き換え可能な不揮発性メモリなどであり、認証用データＦなどの設定データを格納している。この設定データは、ＰＯＳ端末３やストアコンピュータなどから配信されたデータを記憶したものであってよい。認証用データＦは、ＰＯＳシステム４を使用するオペレータ（ユーザ）ごとに、所定の認証物が予め設定されたデータである。この認証用データＦにおいて設定されるユーザは、ＰＯＳシステム４において実行可能なデータ処理の範囲を定める操作モードが互いに異なる。具体的には、ＰＯＳシステム４におけるデータ処理の中で、商品登録に関するデータ処理が実行可能な通常ユーザと、商品登録の他、点検、精算等のデータ処理が実行可能な管理者とがある。したがって、認証用データＦでは、通常ユーザや管理者等のオペレータが実行可能なデータ処理の範囲を定める操作モードごとに、所定の認証物が予め設定されている。なお、本実施形態では、操作モードとして、商品登録に関するデータ処理を実行可能なデータ処理の範囲とする通常ユーザと、商品登録、点検、精算のデータ処理を実行可能なデータ処理の範囲とする管理者とが認証用データＦに設定されているものとする。また、各操作モードと、その操作モードで実行可能なデータ処理の範囲との関係については、ＲＯＭ４２の設定データなどに予め設定されているものとする。
【００１６】
ここで、所定の認証物とは、ＰＯＳシステム４を操作するオペレータとしての認証を行うため、オペレータの特徴を示すものとして事前に定めたものである。具体的には、オペレータが身につける制服や名札に描かれた店舗ロゴ、役職を示すロゴ等の模様、文字、テクスチャなどであってよい。認証用データＦでは、操作モードごとに、上述した所定の認証物の形状を示す画像データなどが予め設定されている。なお、本実施形態では、オペレータが身につける制服の胸位置等に描かれた店舗ロゴや役職を示すロゴを認証物としている。
【００１７】
ここで、ＣＰＵ５０がプログラムを実行することで実現される、商品コード読取装置２の機能構成について説明する。ＣＰＵ５０は、ＲＡＭ４３に展開されたＲＯＭ４２が記憶するプログラムに従って動作することで、図２に示すように、画像データ取込部５１と、画像認識部５２と、制御部５３と、業務処理部５４として機能する。
【００１８】
画像データ取込部５１は、カメラコントローラ４９に撮像オン信号を出力してカメラ２０や認証用カメラ２６に撮像動作を開始させる。画像データ取込部５１は、撮像動作開始後にカメラ２０や認証用カメラ２６が撮像した画像データ（フレーム画像）を取り込んで、ＲＡＭ４３の画像ワークエリアに格納する。
【００１９】
画像認識部５２は、画像データ取込部５１により取り込まれた、認証用カメラ２６が撮像したフレーム画像から予め設定された認証対象物を認識する。ここで、認証対象物とは、認証用カメラ２６が撮像したフレーム画像に映り込んだものの中から、認証用データＦに設定された認証物と参照してユーザの認証を行う対象物のことである。具体的には、人物の衣服に描かれたロゴ等の模様、文字、テクスチャ、人物が身につけた名札などであってよい。具体的には、画像認識部５２は、認証用カメラ２６が撮像したフレーム画像を２値化して輪郭線を抽出し、抽出した輪郭線から人物や名札の形状とマッチする領域を認識する。次いで、画像認識部５２は、認識した領域から例えば人物の胸位置の模様、文字、テクスチャなどを認証対象物として認識する。なお、画像認識部５２は、認証用カメラ２６が撮像したフレーム画像の中から、認識した認証対象物を含む領域の画像データを制御部５３へ出力する。
【００２０】
また、認証対象物の認識は、画像における特徴量として色合いや表面の凸凹状況等の表面の状態を読み取ることによって特定の物体の認識する一般物体認識（generic  object  recognition）の技術を用いてもよい。この一般物体認識については次の文献において各種認識技術が解説されている。
柳井  啓司，“一般物体認識の現状と今後”，情報処理学会論文誌，Ｖｏｌ．４８，Ｎｏ．ＳＩＧ１６  [平成２２年８月１０日検索]，インターネット<URL:  http://mm.cs.uec.ac.jp/IPSJ-TCVIM-Yanai.pdf  >
また、画像をオブジェクトごとに領域分割することによって一般物体認識を行う技術が、下記の文献において解説されている。
Jamie  Shottonら，“Semantic  Texton  Forests  for  Image  Categorization  and  Segmentation”，[平成２２年８月１０日検索]，インターネット<URL:  http://citeseerx.ist.psu.edu/viewdoc/download?doi=10.1.1.145.3036&rep=rep1&type=pdf  >
【００２１】
制御部５３は、ユーザの認証により許可される範囲で、ＰＯＳシステム４のデータ処理を行うように制御する。具体的には、制御部５３は、画像認識部５２による認証対象物が認証用データＦに設定されたいずれかの認証物と一致する場合に、その認証物に対応した操作モードを設定する。より具体的には、制御部５３は、画像認識部５２より出力された認証対象物を含む領域の画像データと、認証用データＦに設定された認証物の画像データとを比較して、画像認識部５２が認識した認証対象物と一致する認証物を検索する。この検索は、公知のパターンマッチング技術で互いの画像データを比較し、類似点が所定値以上である場合に一致するものとする。次いで、制御部５３は、一致する認証物がある場合に、その認証物と対応して認証用データＦに記憶されている操作モードに設定する。
【００２２】
業務処理部５４は、商品登録、点検、精算等の種々のデータ処理（業務処理）の中で、制御部５３により設定された操作モードに対応した範囲内のデータ処理を行う。具体的には、操作モードとして通常ユーザが制御部５３により設定された時は、操作部であるキーボード２２、３１の操作指示により商品登録の指示が受け付けられた場合に、商品登録のデータ処理を行う。例えば商品登録のデータ処理では、業務処理部５４は、カメラ２０が撮像したフレーム画像から商品コード等のコード情報を読み取り、商品コードごとに商品名、商品分類、単価などが設定された商品マスタ情報を参照することで、読み取られた商品を特定する。次いで、業務処理部５４は、特定した商品を顧客が購入する商品とし、その商品の売上登録を行う。なお、操作モードとして通常ユーザが設定されている時に点検、精算の指示が受け付けられた場合は、点検、精算のデータ処理は通常ユーザの範囲外であることから実行されない。
【００２３】
次に、ＰＯＳシステム４の動作について詳細に説明する。図３は、ＰＯＳシステム４の動作の一例を示すフローチャートである。
【００２４】
図３に示すように、電源投入などにより処理が開始されると、画像データ取込部５１は、カメラコントローラ４９に撮像オン信号を出力してカメラ２０、認証用カメラ２６による撮像を開始する（Ｓ１）。次いで、画像認識部５２は、画像データ取込部５１により取り込まれた、認証用カメラ２６によるフレーム画像から予め設定された認証対象物の画像認識があったか否かを判定する（Ｓ２）。次いで、制御部５３は、画像認識部５２による認証対象物の画像が認証用データＦに設定されたいずれかの認証物の画像と一致するか否かを判定する（Ｓ３）。
【００２５】
認証対象物の画像と、認証用データＦに設定されたいずれかの認証物の画像とが不一致であった場合（Ｓ３：ＮＯ）、制御部５３は、ＲＯＭ４２などに予め設定された所定の回数、連続して不一致であったか否かを判定する（Ｓ４）。この判定は、連続して不一致であった場合にインクリメントされるカウント数をＲＡＭ４３の作業領域に記憶しておき、そのカウント数を参照することで行われる。
【００２６】
Ｓ４において所定の回数、連続して不一致でない場合（ＮＯ）、制御部５３は、ユーザの認証に失敗したことを報知する（Ｓ５）。具体的には、制御部５３は、認証用カメラ２６による音声報知や、店員用ディスプレイ２３ｂ、３２の表示画面への表示出力でユーザの認証に失敗したことを報知する。図４は、表示画面Ｇの一例を示す概念図である。図４に示すように、制御部５３は、表示画面Ｇにユーザの認証に失敗したことを示す報知画像Ｇ１１を表示する。この報知を受けたユーザは、再度認証を試みることとなる。
【００２７】
Ｓ４において所定の回数、連続して不一致である場合（ＹＥＳ）、制御部５３は、ＰＯＳシステム４の動作をロックするロックモードに操作モードを設定し（Ｓ６）、Ｓ１７へ処理を進める。このロックモードは、ＰＯＳシステム４のデータ処理を停止する操作モードであり、管理者などが予め設定された所定の解除操作をキーボード２２、３１などで行うまで設定される。したがって、不正なユーザ認証が連続した場合にＰＯＳシステム４の動作をロックすることで、セキュリティの向上を図ることができる。
【００２８】
認証対象物の画像と、認証用データＦに設定されたいずれかの認証物の画像とが一致した場合（Ｓ３：ＹＥＳ）、制御部５３は、所定の資格者（管理者）として認証用データＦに設定された認証物の画像と一致したか否かを判定する（Ｓ７）。一致した場合（Ｓ７：ＹＥＳ）、制御部５３は、管理者としての操作モードを設定し（Ｓ８）、設定した操作モードが管理者モードであることを表示や音声により報知する（Ｓ９）。また、Ｓ７で一致しない場合（ＮＯ）、制御部５３は、通常ユーザとしての操作モードを設定し（Ｓ１０）、設定した操作モードが通常モードであることを表示や音声により報知する（Ｓ１１）。
【００２９】
図５は、表示画面Ｇの一例を示す概念図である。より具体的には、操作モードが管理モードであることを報知する表示画面Ｇの一例を示している。図５に示すように、設定された操作モードの報知は、表示画面Ｇにモード通知画像Ｇ１２を表示することで行う。このように、設定された操作モードを報知することで、ユーザ（オペレータ）はＰＯＳシステム４がどの操作モードで動作しているかを容易に知ることができる。この時、各操作モードと、その操作モードで実行可能なデータ処理の範囲との関係が設定された設定データをＲＯＭ４２より読み出すことで、設定された操作モードで実行可能なデータ処理の範囲を示す業務範囲通知画像Ｇ１３の表示も行う。このように、設定された操作モードで実行可能なデータ処理の範囲を報知することで、ユーザ（オペレータ）はどのデータ処理を実行できるかを容易に知ることができる。
【００３０】
Ｓ９、Ｓ１１に次いで、業務処理部５４は、操作部であるキーボード２２、３１の操作指示によりオペレータからの業務の受け付けを行う（Ｓ１２）。次いで、業務処理部５４は、各操作モードと、その操作モードで実行可能なデータ処理の範囲との関係が設定された設定データをＲＯＭ４２より読み出し、受け付けた業務が設定された操作モードの範囲内であるか否かを判定する（Ｓ１３）。
【００３１】
受け付けた業務が設定された操作モードの範囲内でない場合（Ｓ１３：ＮＯ）、業務処理部５４は、設定された操作モード外の業務であることを表示や音声により報知する（Ｓ１４）。図６は、表示画面Ｇの一例を示す概念図である。より具体的には、受け付けた業務が設定された操作モード外の業務であることを報知する表示画面Ｇの一例を示している。図６に示すように、ＰＯＳシステム４では、設定された操作モード外の業務であることを示す報知画像Ｇ１１を表示画面Ｇに表示することで、ユーザへの報知を行う。この時、図示例のとおり、設定された操作モードで実行可能なデータ処理の範囲を示す業務範囲通知画像Ｇ１３の表示も行ってよい。
【００３２】
受け付けた業務が設定された操作モードの範囲内である場合（Ｓ１３：ＹＥＳ）、業務処理部５４は、受け付けたデータ処理（業務処理）を実行する（Ｓ１５）。このデータ処理は、キーボード２２、３１などによりデータ処理の終了が指示されるまで（Ｓ１６：ＹＥＳ）、継続される。次いで、Ｓ１７において、ＣＰＵ５０は、カメラコントローラ４９に撮像オフ信号を出力してカメラ２０、認証用カメラ２６による撮像を終了し、処理を終了する。
【００３３】
以上のように、ＰＯＳシステム４では、認証用カメラ２６が撮像した撮像画像から予め設定された認証対象物を認識し、実行可能なデータ処理の範囲が互いに異なる複数の操作モードごとに、所定の認証物を設定した認証用データＦをもとに、認識された認証対象物が認証用データＦに設定された認証物と一致する場合に、その認証物に対応した操作モードを設定する。したがって、ＰＯＳシステム４では、鍵やＩＤカード等による認証のための操作をユーザが行う必要がなく、ユーザ認証を容易とすることができる。
【００３４】
本実施形態のＰＯＳシステム４で実行されるプログラムは、ＲＯＭ等に予め組み込まれて提供される。本実施形態のＰＯＳシステム４で実行されるプログラムは、インストール可能な形式又は実行可能な形式のファイルでＣＤ−ＲＯＭ（Compact Disc Read Only Memory）、フレキシブルディスク（ＦＤ）、ＣＤ−Ｒ（Compact Disc Recordable）、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３５】
さらに、本実施形態のＰＯＳシステム４で実行されるプログラムを、インターネット等のネットワークに接続されたコンピュータ上に格納し、ネットワーク経由でダウンロードさせることにより提供するように構成しても良い。また、本実施形態のＰＯＳシステム４で実行されるプログラムをインターネット等のネットワーク経由で提供または配布するように構成しても良い。
【００３６】
本実施形態のＰＯＳシステム４で実行されるプログラムは、上述した各部（画像データ取込部５１、画像認識部５２、制御部５３、業務処理部５４）を含むモジュール構成となっており、実際のハードウェアとしてはＣＰＵ（プロセッサ）が上記ＲＯＭからプログラムを読み出して実行することにより上記各部が主記憶装置上にロードされ、主記憶装置上に生成されるようになっている。
【００３７】
また、本実施形態では、ＰＯＳシステム４全体としてのＣＰＵ５０が上述したプログラムを実行する構成を例示した。しかしながら、商品コード読取装置２又はＰＯＳ端末３のＣＰＵがプログラムを実行することで、個々の装置が個別に実現してもよいことは言うまでもないことである。
【符号の説明】
【００３８】
１…カウンタ台、２…商品コード読取装置、３…ＰＯＳ端末、４…ＰＯＳシステム、２０…カメラ、２１…読取窓、２２…キーボード、２３ａ…顧客用ディスプレイ、２３ｂ…店員用ディスプレイ、２４…カード読取部、２５…ブザー、２６…認証用カメラ、３１…キーボード、３２…店員用ディスプレイ、３３…顧客用ディスプレイ、３４…プリンタ、３５…ドロワ、４１…バスライン、４２…ＲＯＭ、４３…ＲＡＭ、４４…通信Ｉ／Ｆ、４５…メモリ、４６…入出力ポート、４７…キーボードコントローラ、４８…表示コントローラ、４９…カメラコントローラ、５０…ＣＰＵ、５１…画像データ取込部、５２…画像認識部、５３…制御部、５４…業務処理部、Ｆ…認証用データ、Ｇ…表示画面、Ｇ１１…報知画像、Ｇ１２…モード通知画像、Ｇ１３…業務範囲通知画像
【先行技術文献】
【特許文献】
【００３９】
【特許文献１】特開平９−２４５１３８号公報
【図１】
2013045361.tif 000003
【図２】
2013045361.tif 000004
【図３】
2013045361.tif 000005
【図４】
2013045361.tif 000006
【図５】
2013045361.tif 000007
【図６】
2013045361.tif 000008